(57)【要約】  一群の紙巻き煙草を収容する紙巻き煙草のパケット（１）であって、内側パッケージ（３）であって、紙巻き煙草の一群（４）を包み、取り出し開口（５）を有する内側パッケージ（３）と、引き上げフラップ（２１）であって、紙巻き煙草の群（４）における少なくとも２本の紙巻き煙草（２２）に取り付けられ、内側パッケージ（３）の取り出し開口（５）から突出し、引き上げられたときに引き上げフラップが取り付けられた紙巻き煙草（２２）を持ち上げるグリップ・エンド（２３）を有する引き上げフラップ（２１）と、を備える。引き上げフラップ（２１）は、少なくとも一つの折り線（３０）を有する硬いブランク（２９）によって画定され、紙巻き煙草の群（４）の一部の底端（２４）のまわりでＬ字状又はＵ字状に折り曲げられ、引き上げフラップ（２１）は、内側パッケージ（３）から完全に離れ、内側パッケージ（３）に対して自由にスライドする。
2014513014.tif 000002
【特許請求の範囲】
【請求項１】
紙巻き煙草のパケット（１）であって、
カップ状の外側容器（２）と、
紙巻き煙草の群（４）と、
内側パッケージ（３）であって、外側容器（２）の内側に離脱不可能に挿入され、紙巻き煙草の群（４）を包み、少なくとも最初はカバー部分（６）によって閉じられている取り出し開口（５）を有する内側パッケージ（３）と、
引き上げフラップ（２１）であって、紙巻き煙草の群（４）の紙巻き煙草（２２）と直接接触するように内側パッケージ（３）の内側に挿入され、紙巻き煙草の群（４）における少なくとも２本の紙巻き煙草（２２）に取り付けられ、内側パッケージ（３）の取り出し開口（５）から突出し、引き上げられたときに引き上げフラップが取り付けられた紙巻き煙草（２２）を持ち上げるグリップ・エンド（２３）を有する引き上げフラップ（２１）と、
を備え、
引き上げフラップ（２１）が少なくとも一つの折り線（３０）を有する硬いブランク（２９）によって画定され、紙巻き煙草の群（４）の一部の底端（２４）のまわりでＬ字状又はＵ字状に折り曲げられ、
引き上げフラップ（２１）は、内側パッケージ（３）から完全に離れ、内側パッケージ（３）に対して自由にスライドすることを特徴とする紙巻き煙草のパケット（１）。
【請求項２】
引き上げフラップ（２１）は紙巻き煙草の群（４）における前列の紙巻き煙草（２２）全体と同じ幅であり、引き上げフラップ（２１）の側方エッジは内側パッケージ（３）の側壁に実質的に接触するように位置していることを特徴とする請求項１に記載の紙巻き煙草のパケット（１）。
【請求項３】
引き上げフラップ（２１）は、前列の紙巻き煙草（２２）の底端（２４）のまわりでＵ字状に折り曲げられ、
引き上げフラップ（２１）は、
グリップ・エンド（２３）で終止し、前列の紙巻き煙草（２２）の円柱状側壁（２６）と接触するように位置する前壁（２５）と、
前壁（２５）と直交する、前列の紙巻き煙草（２２）の底端（２４）と接触するように位置する底壁（２７）と、
前壁（２５）と平行に向き合い、前列の紙巻き煙草（２２）の前壁（２５）と反対側で前列の紙巻き煙草（２２）の円柱状側壁（２６）と接触するように位置する後壁（２８）と、
を備えることを特徴とする請求項１又は２に記載の紙巻き煙草パケット（１）。
【請求項４】
引き上げフラップ（２１）は、前列の紙巻き煙草（２２）の底端（２４）のまわりでＬ字状に折り曲げられ、
引き上げフラップ（２１）は、
グリップ・エンド（２３）で終止し、前列の紙巻き煙草（２２）の円柱状側壁（２６）と接触するように位置する前壁（２５）と、
前壁（２５）に直交し、前列の紙巻き煙草（２２）の底端（２４）と接触するように位置する底壁（２７）と、
を備えることを特徴とする請求項１又は２に記載の紙巻き煙草パケット（１）。
【請求項５】
引き上げフラップ（２１）は、前壁（２５）から突出し、底壁（２７）の自然な延長を画定する少なくともひとつの安定化突起（３１）を備えることを特徴とする請求項４に記載の紙巻き煙草パケット（１）。
【請求項６】
安定化突起（３１）は、該安定化突起（３１）の外側エッジを画定し、折り線（３０）から発するＵ字状の貫通カット（３２）によってブランクに形成され、折り線（３０）は貫通カット（３２）を横切って延びていないことを特徴とする請求項５に記載の紙巻き煙草パケット（１）。
【請求項７】
引き上げフラップ（２１）は、前列の紙巻き煙草（２２）の底端（２４）のまわりでＵ字状に折り曲げられ、
引き上げフラップ（２１）は、
前列の紙巻き煙草（２２）の対向する側面に配置された２つの側壁（３３）であって、各々が前列の紙巻き煙草（２２）のそれぞれの円柱状側壁（２６）と接触するように位置する２つの側壁（３３）と、
２つの側壁（３３）と直交し、前列の紙巻き煙草（２２）の底端（２４）接触するように位置する底壁（２７）と、
を備えることを特徴とする請求項１又は２に記載の紙巻き煙草パケット（１）。
【請求項８】
引き上げフラップ（２１）の一方の側壁（３３ａ）は、紙巻き煙草の群（４）の上壁から突出するグリップ・エンド（２３）で終止し、引き上げフラップ（２１）の他方の側壁（３３ｂ）は、グリップ・エンド（２３）を有していなく、紙巻き煙草の群（４）と同じ高さであることを特徴とする請求項６に記載の紙巻き煙草パケット（１）。
【請求項９】
引き上げフラップ（２１）は、紙巻き煙草の群（４）における前列の紙巻き煙草（２２）に取り付けられ、前列の紙巻き煙草（２２）の底端（２４）に接触するように位置している水平な底壁（２７）を有することを特徴とする請求項１〜８の何れか一項に記載の紙巻き煙草パケット（１）。
【請求項１０】
引き上げフラップ（２１）は、紙巻き煙草の群（４）における前列の紙巻き煙草（２２）と中間列の紙巻き煙草（２２）に取り付けられ、前列の紙巻き煙草（２２）の底端（２４）及び中間列の紙巻き煙草（２２）の底端（２４）に接触するように位置している水平な底壁（２７）を有することを特徴とする請求項１〜８の何れか一項に記載の紙巻き煙草パケット（１）。
【請求項１１】
取り出し開口（５）を閉じるカバー部分（６）は、引き上げフラップ（２１）のグリップ・エンド（２３）を紙巻き煙草の群（４）の壁に圧しつけることを特徴とする請求項１〜１０の何れか一項に記載の紙巻き煙草パケット（１）。
【請求項１２】
外側容器（２）は開放トップエンド（７）とカップ状蓋（８）を有し、カップ状蓋（８）は、ヒンジ（９）に沿って外側容器（２）にヒンジ結合され、外側容器（２）に対して開位置と閉位置との間で回り、開放トップエンド（７）を開いたり、閉じたりすることを特徴とする請求項１〜１１の何れか一項に記載の紙巻き煙草パケット（１）。
【発明の詳細な説明】
【技術分野】
【０００１】
本発明は、パケットから紙巻き煙草を取り出すための引き上げフラップを有する紙巻き煙草のパケットに関する。
【０００２】
以下の記載では、簡単のために、そして純然たる非限定的な例として、紙巻き煙草用の硬いヒンジ式の蓋を有するパケットを参照して説明する。
【背景技術】
【０００３】
硬いヒンジ式蓋がついた紙巻き煙草パケットは、普通、一群の紙巻き煙草を収めた内側パッケージと、この内側パッケージを収容する硬い外側容器を備える。内側パッケージは、最初閉じられていて、引きちぎられるトップ部分を有し、パケットを開封してこのトップ部分を引きちぎると内側パッケージから紙巻き煙草を取り出すことが可能になる。
【０００４】
内側パッケージと外側容器はしばしば内側パッケージの内側の紙巻き煙草の群に側方から圧力を及ぼす。パケットがいっぱいであるとき、この側方からの圧力のために群から最初の紙巻き煙草を取り出すことが、最初の紙巻き煙草とまわりの紙巻き煙草の間の摩擦のために難しくなることがある。最初の紙巻き煙草をもっと容易に取り出すために提案されたひとつの方法は、群の中の少なくとも１本の紙巻き煙草に引き出しストリップを付け、その一端が群のてっぺんから飛び出すようにし、それをつかんでその紙巻き煙草を引き上げるということである。
【発明の概要】
【発明が解決しようとする課題】
【０００５】
しかし、公知の引き上げストリップのグリップ端と反対の側の内側端は内側パッケージに糊付けしなければならず、これが大きな欠点になる。紙巻き煙草パケットの内側パッケージに煙草のところ又はその近くで糊付けすると揮発性の物質を放出し、それが煙草に吸収された煙草のアロマ及び／又は味わいを変質させるので、紙巻き煙草の内側パッケージには糊付けできないのである。
【課題を解決するための手段】
【０００６】
本発明の目的は、上記の欠点を除いて、安価で、容易に製造できる引き上げフラップを有する紙巻き煙草のパケットを提供することである。
【０００７】
本発明によれば、引き上げフラップを有する紙巻き煙草のパケットであって、添付クレームに記載されているようなものが提供される。
【０００８】
本発明のいくつかの非限定的な実施形態が、以下で添付図面を参照して例として説明される。
【図面の簡単な説明】
【０００９】
【図１】本発明に係わる硬い引き上げフラップを有する紙巻き煙草パケットを閉じた状態で示す前方からの斜視図である。
【図２】図１の紙巻き煙草パケットを開いた状態で示す前方からの斜視図である。
【図３】図１の紙巻き煙草パケットを閉じた状態で示す後方からの斜視図である。
【図４】図１の紙巻き煙草パケットのプルオフ（摘み外し）トップ部分を除去した内側パッケージを示す前方からの斜視図である。
【図５】図４の内側パッケージに包まれた一群の紙巻き煙草を硬い引き上げフラップが取り付けられた状態で示す前方からの斜視図である。
【図６】最初の紙巻き煙草を取り出すときの図５の一群の紙巻き煙草を示す前方からの斜視図である。
【図７】図４〜６の内側パッケージの硬い引き上げフラップを示す斜視図である。
【図８】紙巻き煙草の群の前列に取り付けられた図４〜６の内側パッケージの硬い引き上げフラップを示す概略斜視図である。
【図９】図４〜６の内側パッケージの硬い引き上げフラップを形成するためのブランクを示す展開図である。
【図１０】図１の紙巻き煙草のパケットの内側パッケージを、プルオフ・トップ部分を除去して硬い引き上げフラップの異なる実施形態で示す前方からの斜視図である。
【図１１】図１０の内側パッケージに包まれた、硬い引き上げフラップが取り付けられた一群の紙巻き煙草を示す前方からの斜視図である。
【図１２】最初の紙巻き煙草を取り出すときの図１１の紙巻き煙草の群を示す前方からの斜視図である。
【図１３】図１０〜１２の内側パッケージの硬い引き上げフラップを示す斜視図である。
【図１４】図１０〜１２の内側パッケージの硬い引き上げフラップを形成するためのブランクを示す展開図である。
【図１５】図１の紙巻き煙草パケットの内側パッケージを、プルオフ・トップ部分を除去して硬い引き上げフラップの別の実施形態によって示す前方からの斜視図である。
【図１６】硬い引き上げフラップを取り付けた図１５の内側パッケージに包まれた紙巻き煙草の群を示す前方からの斜視図である。
【図１７】最初の紙巻き煙草を取り出すときの図１６の紙巻き煙草の群を示す前方からの斜視図である。
【図１８】図１５〜１７の内側パッケージの硬い引き上げフラップを示す斜視図である。
【図１９】図１５−１７の内側パッケージの硬い引き上げフラップを示す斜視図である。
【発明を実施するための形態】
【００１０】
図１，２，及び３の参照符号１は、紙巻き煙草の硬いパケットの全体を表し、硬いボール紙のカップ状の外側容器２と、外側容器内に動かないように収容された内側パッケージ３を備える（すなわち、内側パッケージ３は通常糊付けされて外側容器２に対して動かないようになっている）。内側パッケージ３は、平行六面体の形の紙巻き煙草の群４を含み（図４〜７）、上面及び前面にプルオフ（摘み外し）カバー部分６によって閉じられた紙巻き煙草取り出し開口５を有し、それが内側パッケージ３の前壁の一部と上壁の一部にわたって延びている（すなわち、取り出し開口５は少なくとも最初はカバー部分６によって閉じられている）。紙巻き煙草のパケット１が開封されると、プルオフカバー部分６が除去されて内側パッケージ３から紙巻き煙草を取り出すことが可能になる、すなわち、紙巻き煙草のパケット１が開封されると、内側パッケージ３は図２の形態（プルオフカバー部分６が無傷の状態）から図４の形態（プルオフカバー部分６が除去された状態）に移る。
【００１１】
図示しない別の実施形態では、内側パッケージ３がシールされており、最初に取り出し開口５を閉じているプルオフカバー部分６に代わって、取り出し開口５を閉じている閉位置と取り出し開口５を開いている開位置の間で動く開閉シール・フラップがある。
【００１２】
外側容器２は開放トップエンド７を有し、カップ状蓋８がヒンジ９に沿って外側容器２にヒンジ結合され、外側容器２に対して開位置（図２）と閉位置（図１と３）の間で回動して、それぞれ、開放トップエンド７を開いたり、閉じたりする。
【００１３】
蓋８が閉位置にあるとき、外側容器２は直方体の形であり、上壁１０とそれ平行で対向する底壁１１，２つの対向する主側壁１２と１３，及び２つの対向する平行な小側壁１４を有する。詳しく言うと、一方の主側壁１２は外側容器２の前壁１２を画定し、他方の主側壁１３は外側容器２の後壁１３を画定し、小側壁１４と前壁１２及び後壁１３の間で４つの縦方向エッジ１５が画定され、８つの横方向エッジ１６が上壁及び底壁１０，１１と前壁、後壁、及び小側壁１２，１３，１４の間で画定される。
【００１４】
図１〜３の実施形態では、エッジ１５と１６はすべて直角（square）である。図示しない別の実施形態では、エッジ１５と１６は面取り又は丸められる。
【００１５】
パケット１は、また、硬い（すなわち、硬いボール紙で作られた）カラー（collar）１７を備え、それはＵ字状に折り曲げられ、外側容器２の内側に固定（糊付け）され、開放トップエンド７から一部分突出し、閉じているときには蓋８の対応する内側表面と係合する。ある好ましい実施形態では、カラー１７は２つの突起１８を有し、それらは側方に突出して蓋８の側壁と干渉的に係合して蓋８を閉位置に保持する。カラー１７は、外側容器２の前壁１２と接触する位置にある前壁１９と、前壁１９の対向する側面にあって外側容器２の小側壁１４と実質的に接触する位置にある２つの側壁２０を備える。
【００１６】
図４〜８に示されるように、硬い引き上げフラップ２１は内側パッケージ３の内側に挿入され、群４の紙巻き煙草２２と直接接触し、群４の前列の紙巻き煙草２２と係合しており、内側パッケージ３の取り出し開口５で紙巻き煙草の群４の前面に位置するグリップ・エンド２３を有し、それを引き上げることによって前列の紙巻き煙草２２が引き上げられる。図７と８にもっとはっきりと示されているように、引き上げフラップ２１は内側パッケージ３の内側の前列の紙巻き煙草２２の底端のまわりにＵ字状に折り曲げられている。引き上げフラップ２１は内側パッケージ３からは完全に離れている、すなわち、いかなる形でも内側パッケージ３と機械的に結合していない。このことは引き上げフラップ２１の全体が内側パッケージ３に対して自由にスライド（平行移動）できるということを意味する。
【００１７】
図７と８にもっとはっきりと示されているように、引き上げフラップ２１は、前列の紙巻き煙草２２の円柱状側壁２６と接触するように位置して、グリップ・エンドで終止する垂直な前壁２５と、前列の紙巻き煙草２２の底端２４と接触するように位置して、垂直な前壁２５に直交する水平な底壁２７と、垂直な前壁２５の反対側で前列の紙巻き煙草２２の円柱状側壁２６と接触するように位置する、垂直な前壁２５と平行な垂直な後壁２８を備える。引き上げフラップ２１の垂直な後壁２８の高さは、垂直な前壁２５の高さよりも低く、ほぼその１／３〜１／５である。
【００１８】
紙巻き煙草のパケット１がシールされ、内側パッケージ３が開かれていないとき、内側パッケージ３の取り出し開口５はプルオフカバー部分６によって閉じられ、引き上げフラップ２１のグリップ・エンド２３を紙巻き煙草の群４の前壁に圧しつけている。紙巻き煙草のパケット１が開封され、カバー部分６が除去されると、引き上げフラップ２１のグリップ・エンド２３は、ユーザーが握りやすいように紙巻き煙草の群４の前壁から少し離れる（図４と５に示される）。ユーザーはグリップ・エンド２３をつかんで、引き上げフラップ２１を垂直上方に（図６に示されているように）前列の紙巻き煙草２２と共に引き上げ、それらは群４の残りの煙草に対して持ち上げられ（図６）、前列からひとつの紙巻き煙草２２を容易に取り出せるようになる。パケット１から一つ（一つ以上）の紙巻き煙草を取り出した後、ユーザーは（引き上げフラップ２１のグリップ・エンド２３を用いて引き上げられた）前列の紙巻き煙草２２を押し下げて元に戻し、パケット１をあとでさらに使用する場合は蓋８を閉じる。
【００１９】
引き上げフラップ２１は、紙巻き煙草の群４の前列全体と同じ幅であるから、引き上げフラップ２１の側方エッジは内側パッケージ３の側壁と接触するように位置し、この側壁は、引き上げフラップ２１がパケット１に対して（すなわち、外側容器２，内側パッケージ３，及び群４に対して）回転することを防ぎ、上下にスライドするときにそれが傾くこと（そして、紙巻き煙草２２を強く圧してそれを恒久的に損傷すること）を防ぐ「ガイド」として働くということに注意することが重要である。
【００２０】
ユーザーが引き上げフラップ２１のグリップ・エンド２３を引き上げて前列の紙巻き煙草２２を引き出すとき、引き上げフラップ２１のＵ字状の形が、前列の紙巻き煙草２２を持ち上げずにそれに対してスライドしてしまうことを防ぐ（すなわち、引き上げフラップ２１が、前列の紙巻き煙草２２を持ち上げることなく、群４から外れてスライドしてしまうことを防ぐ）。すなわち、ユーザーがグリップ・エンド２３を引いたとき、引き上げフラップ２１が前列の紙巻き煙草２２に対してスライドした場合（すなわち、群４から外れてスライドした場合）、引き上げフラップ２１の垂直な後壁２８は群４の下でスライドするために変形しなければならなくなる。しかし、垂直な後壁２８のサイズと剛さのため、それを変形させるには、引き上げフラップ２１を前列の紙巻き煙草２２と共に持ち上げるのに必要な力よりも大きな力が必要になる。したがって、前列の紙巻き煙草２２に対して引き上げフラップ２１を最初スライドさせても、垂直な後壁２８が群４の下をスライドするために変形しなければならない点に達すると、すぐにそのために必要なより大きな力のためにその変形に抵抗する。
【００２１】
図９に示されるように、引き上げフラップ２１は、硬い材料（普通はボール紙）で作られ、予め形成された２つの折り線３０，すなわち、前壁２５を底壁２７から分離し、底壁２７を後壁２８から分離する２つの折り線、を有するブランク２９を紙巻き煙草の群４の内側で折り曲げて形成される。
【００２２】
図１０〜１４は、硬い引き上げフラップ２１の別の実施形態を示しており、この実施形態では、後壁２８をなくし、引き上げフラップ２１が前列の紙巻き煙草２２に対してスライドすることを防ぐという（上述した）その機能は、前壁２５から突出して底壁２７の自然な延長となっている２つの安定化突起３１によって果たされる。言い換えると、安定化突起３１は前壁２５から直角方向に突出し、内側パッケージ３の前壁を、したがって外側容器２の前壁１２を、（小さな局所的変形を伴って）圧し、引き上げフラップ２１をスライドさせるのに必要な力を増大させ、引き上げフラップ２１が前列の紙巻き煙草２２に対してスライドすることを防ぐ。言い換えると、安定化突起３１は、引き上げフラップ２１を前列の紙巻き煙草２２に対してスライドさせるために必要な力を、引き上げフラップ２１を前列の紙巻き煙草２２といっしょに持ち上げるのに必要な力よりもずっと大きくするので、引き上げフラップ２１のグリップ・エンド２３を引き上げたとき引き上げフラップ２１は常に前列の紙巻き煙草２２といっしょに持ち上げられる。
【００２３】
最適な挙動を実現するために、図１０〜１４の実施形態における安定化突起３１の数、サイズ、及び形は紙巻き煙草のパケット１のデザインに応じて変えられる。
【００２４】
図１４に示されるように、安定化突起３１はブランク２９において折り線３０から発して安定化突起３１の外側エッジを画定するＵ字状の貫通カット３２によって形成され、折り線は貫通カット３２を横切って延びていない。言い換えると、各貫通カット３２の両端は折り線３０に発し、折り線は貫通カット３２によって中断される（すなわち、それを横切って延びていない）。
【００２５】
図１５〜１９は、硬い引き上げフラップ２１のさらに別の実施形態を示しており、この実施形態では、引き上げフラップ２１は内側パッケージ３における前列の紙巻き煙草の底端２４のまわりでＵ字状に折り曲げられる。図１８でもっとはっきりと見られるように、引き上げフラップ２１は前列の紙巻き煙草２２の対向する側面に位置し、各々が前列の紙巻き煙草２２のそれぞれの円柱状側壁に接触している２つの垂直な側壁３３を有する。引き上げフラップ２１の一方の側壁３３ａは紙巻き煙草の群４の上壁から突出するグリップ・エンド２３で終わっている。他方の側壁３３ｂはグリップ・エンド２３がなく、紙巻き煙草の群４と同じ高さである。引き上げフラップ２１の２つの側壁３３は水平な底壁２７によって接合し、その底壁２７は側壁３３に対して直交し。前列の紙巻き煙草２２の底壁２４と接触するように位置する。
【００２６】
実際の使用では、引き上げフラップ２１のグリップ・エンド２３が引き上げられると、グリップ・エンド２３に直接結合された側壁３３ａはそれと共に垂直に持ち上げられ、他方の側壁３３ｂは実質的に動かないままである。したがって、底壁２７は傾き、−一端は持ち上げられ他端は実質的に静止したままであるから−、前列の紙巻き煙草２２は、図１７にはっきりと示されているように、持ち上げられ方に差が出てくる（グリップ・エンド２３の方へ漸次高くなり、グリップ・エンド２３から離れるほど低くなる）。
【００２７】
図面で示すすべての実施形態で、引き上げフラップ２１の底壁２７は前列の紙巻き煙草２２の底端２４と同じサイズであり、したがってグリップ・エンド２３が引き上げられると、前列の紙巻き煙草２２の全体がそしてそれだけが持ち上げられる。図示しない別の実施形態では、引き上げフラップ２１の底壁２７は前列の紙巻き煙草２２の底端２４よりも大きく、したがって、グリップ・エンド２３が引き上げられると、前列の紙巻き煙草２２に加えて他の紙巻き煙草も持ち上げられる（例えば、前列の紙巻き煙草２２の全体と中間列の紙巻き煙草２２の全体、又は前列の紙巻き煙草２２の全体と中間列の紙巻き煙草２２の一部が持ち上げられる）。図示しない別の実施形態では、引き上げフラップ２１の底壁２７は前列の紙巻き煙草２２の底壁２４よりも小さく、したがって、グリップ・エンド２３を引き上げたとき、前列の一部だけが持ち上げられる（例えば、前列の中央の５本の紙巻き煙草２２、又は前列の中央の３本の紙巻き煙草２２と中間列の中央の３本の紙巻き煙草２２、又は前列の中央の２本の紙巻き煙草２２と中間列の中央の２本の紙巻き煙草２２と後列の中央の２本の紙巻き煙草２２）。
【００２８】
上述の紙巻き煙草のパケット１には多くの利点がある。
【００２９】
特に、それは内側パッケージ３の取り出し開口５から突出したグリップ・エンド２３を有する引き上げフラップ２１を備え、パケット１を開封したとき、ユーザーはそれを引き上げて前列の紙巻き煙草２２を速やかに容易に持ち上げられる。
【００３０】
何も糊付けされないので、引き上げフラップ２１は標準包装機で用いることができ、紙巻き煙草を汚染する恐れはない。
【００３１】
最後に、上述の紙巻き煙草のパケット１は、（このタイプのパケットのために特別に設計された）高価な専用機械でなく、（少数の小さな変更によって）標準的な包装機械で製造できる。
【図１】
2014513014.tif 000003
【図２】
2014513014.tif 000004
【図３】
2014513014.tif 000005
【図４】
2014513014.tif 000006
【図５】
2014513014.tif 000007
【図６】
2014513014.tif 000008
【図７】
2014513014.tif 000009
【図８】
2014513014.tif 000010
【図９】
2014513014.tif 000011
【図１０】
2014513014.tif 000012
【図１１】
2014513014.tif 000013
【図１２】
2014513014.tif 000014
【図１３】
2014513014.tif 000015
【図１４】
2014513014.tif 000016
【図１５】
2014513014.tif 000017
【図１６】
2014513014.tif 000018
【図１７】
2014513014.tif 000019
【図１８】
2014513014.tif 000020
【図１９】
2014513014.tif 000021
【手続補正書】
【提出日】平成25年1月30日(2013.1.30)
【手続補正１】
【補正対象書類名】明細書
【補正対象項目名】全文
【補正方法】変更
【補正の内容】
【発明の詳細な説明】
【技術分野】
【０００１】
本発明は、パケットから紙巻き煙草を取り出すための引き上げフラップを有する紙巻き煙草のパケットに関する。
【０００２】
以下の記載では、簡単のために、そして純然たる非限定的な例として、紙巻き煙草用の硬いヒンジ式の蓋を有するパケットを参照して説明する。
【背景技術】
【０００３】
硬いヒンジ式蓋がついた紙巻き煙草パケットは、普通、一群の紙巻き煙草を収めた内側パッケージと、この内側パッケージを収容する硬い外側容器を備える。内側パッケージは、最初閉じられていて、引きちぎられるトップ部分を有し、パケットを開封してこのトップ部分を引きちぎると内側パッケージから紙巻き煙草を取り出すことが可能になる。
【０００４】
内側パッケージと外側容器はしばしば内側パッケージの内側の紙巻き煙草の群に側方から圧力を及ぼす。パケットがいっぱいであるとき、この側方からの圧力のために群から最初の紙巻き煙草を取り出すことが、最初の紙巻き煙草とまわりの紙巻き煙草の間の摩擦のために難しくなることがある。最初の紙巻き煙草をもっと容易に取り出すために提案されたひとつの方法は、群の中の少なくとも１本の紙巻き煙草に引き出しストリップを付け、その一端が群のてっぺんから飛び出すようにし、それをつかんでその紙巻き煙草を引き上げるということである。
【０００５】
特許文献１は、一束の紙巻きたばこを包む方法及びそのパッケージを開示する。フローシールパッケージは、紙巻きたばこを引っ込めることを許容するために開くことができる再封止可能な紙巻きたばこと、開口を封止するため、バリヤ材上で再封止された適合するタブと、を含む。
【先行技術文献】
【特許文献】
【０００６】
【特許文献１】国際公開第９８／４９０７２号パンフレット
【発明の概要】
【発明が解決しようとする課題】
【０００７】
しかし、公知の引き上げストリップのグリップ端と反対の側の内側端は内側パッケージに糊付けしなければならず、これが大きな欠点になる。紙巻き煙草パケットの内側パッケージに煙草のところ又はその近くで糊付けすると揮発性の物質を放出し、それが煙草に吸収された煙草のアロマ及び／又は味わいを変質させるので、紙巻き煙草の内側パッケージには糊付けできないのである。
【課題を解決するための手段】
【０００８】
本発明の目的は、上記の欠点を除いて、安価で、容易に製造できる引き上げフラップを有する紙巻き煙草のパケットを提供することである。
【０００９】
本発明によれば、引き上げフラップを有する紙巻き煙草のパケットであって、添付クレームに記載されているようなものが提供される。
【００１０】
本発明のいくつかの非限定的な実施形態が、以下で添付図面を参照して例として説明される。
【図面の簡単な説明】
【００１１】
【図１】本発明に係わる硬い引き上げフラップを有する紙巻き煙草パケットを閉じた状態で示す前方からの斜視図である。
【図２】図１の紙巻き煙草パケットを開いた状態で示す前方からの斜視図である。
【図３】図１の紙巻き煙草パケットを閉じた状態で示す後方からの斜視図である。
【図４】図１の紙巻き煙草パケットのプルオフ（摘み外し）トップ部分を除去した内側パッケージを示す前方からの斜視図である。
【図５】図４の内側パッケージに囲まれた一群の紙巻き煙草を硬い引き上げフラップが取り付けられた状態で示す前方からの斜視図である。
【図６】最初の紙巻き煙草を取り出すときの図５の一群の紙巻き煙草を示す前方からの斜視図である。
【図７】図４〜６の内側パッケージの硬い引き上げフラップを示す斜視図である。
【図８】紙巻き煙草の群の前列に取り付けられた図４〜６の内側パッケージの硬い引き上げフラップを示す概略斜視図である。
【図９】図４〜６の内側パッケージの硬い引き上げフラップを形成するためのブランクを示す展開図である。
【図１０】図１の紙巻き煙草のパケットの内側パッケージを、プルオフ・トップ部分を除去して硬い引き上げフラップの異なる実施形態で示す前方からの斜視図である。
【図１１】図１０の内側パッケージに囲まれ、硬い引き上げフラップが取り付けられた一群の紙巻き煙草を示す前方からの斜視図である。
【図１２】最初の紙巻き煙草を取り出すときの図１１の紙巻き煙草の群を示す前方からの斜視図である。
【図１３】図１０〜１２の内側パッケージの硬い引き上げフラップを示す斜視図である。
【図１４】図１０〜１２の内側パッケージの硬い引き上げフラップを形成するためのブランクを示す展開図である。
【図１５】図１の紙巻き煙草パケットの内側パッケージを、プルオフ・トップ部分を除去して硬い引き上げフラップの別の実施形態によって示す前方からの斜視図である。
【図１６】硬い引き上げフラップを取り付けた図１５の内側パッケージに囲まれた紙巻き煙草の群を示す前方からの斜視図である。
【図１７】最初の紙巻き煙草を取り出すときの図１６の紙巻き煙草の群を示す前方からの斜視図である。
【図１８】図１５〜１７の内側パッケージの硬い引き上げフラップを示す斜視図である。
【図１９】図１５−１７の内側パッケージの硬い引き上げフラップを示す斜視図である。
【発明を実施するための形態】
【００１２】
図１，２，及び３の参照符号１は、紙巻き煙草の硬いパケットの全体を表し、硬いボール紙のカップ状の外側容器２と、外側容器内に動かないように収容された内側パッケージ３を備える（すなわち、内側パッケージ３は通常糊付けされて外側容器２に対して動かないようになっている）。内側パッケージ３は、平行六面体の形の紙巻き煙草の群４を含み（図４〜７）、上面及び前面にプルオフ（摘み外し）カバー部分６によって閉じられた紙巻き煙草取り出し開口５を有し、それが内側パッケージ３の前壁の一部と上壁の一部にわたって延びている（すなわち、取り出し開口５は少なくとも最初はカバー部分６によって閉じられている）。紙巻き煙草のパケット１が開封されると、プルオフカバー部分６が除去されて内側パッケージ３から紙巻き煙草を取り出すことが可能になる、すなわち、紙巻き煙草のパケット１が開封されると、内側パッケージ３は図２の形態（プルオフカバー部分６が無傷の状態）から図４の形態（プルオフカバー部分６が除去された状態）に移る。
【００１３】
図示しない別の実施形態では、内側パッケージ３がシールされており、最初に取り出し開口５を閉じているプルオフカバー部分６に代わって、取り出し開口５を閉じている閉位置と取り出し開口５を開いている開位置の間で動く開閉シール・フラップがある。
【００１４】
外側容器２は開放トップエンド７を有し、カップ状蓋８がヒンジ９に沿って外側容器２にヒンジ結合され、外側容器２に対して開位置（図２）と閉位置（図１と３）の間で回動して、それぞれ、開放トップエンド７を開いたり、閉じたりする。
【００１５】
蓋８が閉位置にあるとき、外側容器２は直方体の形であり、上壁１０とそれ平行で対向する底壁１１，２つの対向する主側壁１２と１３，及び２つの対向する平行な小側壁１４を有する。詳しく言うと、一方の主側壁１２は外側容器２の前壁１２を画定し、他方の主側壁１３は外側容器２の後壁１３を画定し、小側壁１４と前壁１２及び後壁１３の間で４つの縦方向エッジ１５が画定され、８つの横方向エッジ１６が上壁及び底壁１０，１１と前壁、後壁、及び小側壁１２，１３，１４の間で画定される。
【００１６】
図１〜３の実施形態では、エッジ１５と１６はすべて直角（square）である。図示しない別の実施形態では、エッジ１５と１６は面取り又は丸められる。
【００１７】
パケット１は、また、硬い（すなわち、硬いボール紙で作られた）カラー（collar）１７を備え、それはＵ字状に折り曲げられ、外側容器２の内側に固定（糊付け）され、開放トップエンド７から一部分突出し、閉じているときには蓋８の対応する内側表面と係合する。ある好ましい実施形態では、カラー１７は２つの突起１８を有し、それらは側方に突出して蓋８の側壁と干渉的に係合して蓋８を閉位置に保持する。カラー１７は、外側容器２の前壁１２と接触する位置にある前壁１９と、前壁１９の対向する側面にあって外側容器２の小側壁１４と実質的に接触する位置にある２つの側壁２０を備える。
【００１８】
図４〜８に示されるように、硬い引き上げフラップ２１は内側パッケージ３の内側に挿入され、群４の紙巻き煙草２２と直接接触し、群４の前列の紙巻き煙草２２と係合しており、内側パッケージ３の取り出し開口５で紙巻き煙草の群４の前面に位置するグリップ・エンド２３を有し、それを引き上げることによって前列の紙巻き煙草２２が引き上げられる。図７と８にもっとはっきりと示されているように、引き上げフラップ２１は内側パッケージ３の内側の前列の紙巻き煙草２２の底端のまわりにＵ字状に折り曲げられている。引き上げフラップ２１は内側パッケージ３からは完全に離れている、すなわち、いかなる形でも内側パッケージ３と機械的に結合していない。このことは引き上げフラップ２１の全体が内側パッケージ３に対して自由にスライド（平行移動）できるということを意味する。
【００１９】
図７と８にもっとはっきりと示されているように、引き上げフラップ２１は、前列の紙巻き煙草２２の円柱状側壁２６と接触するように位置して、グリップ・エンドで終止する垂直な前壁２５と、前列の紙巻き煙草２２の底端２４と接触するように位置して、垂直な前壁２５に直交する水平な底壁２７と、垂直な前壁２５の反対側で前列の紙巻き煙草２２の円柱状側壁２６と接触するように位置する、垂直な前壁２５と平行な垂直な後壁２８を備える。引き上げフラップ２１の垂直な後壁２８の高さは、垂直な前壁２５の高さよりも低く、ほぼその１／３〜１／５である。
【００２０】
紙巻き煙草のパケット１がシールされ、内側パッケージ３が開かれていないとき、内側パッケージ３の取り出し開口５はプルオフカバー部分６によって閉じられ、引き上げフラップ２１のグリップ・エンド２３を紙巻き煙草の群４の前壁に圧しつけている。紙巻き煙草のパケット１が開封され、カバー部分６が除去されると、引き上げフラップ２１のグリップ・エンド２３は、ユーザーが握りやすいように紙巻き煙草の群４の前壁から少し離れる（図４と５に示される）。ユーザーはグリップ・エンド２３をつかんで、引き上げフラップ２１を垂直上方に（図６に示されているように）前列の紙巻き煙草２２と共に引き上げ、それらは群４の残りの煙草に対して持ち上げられ（図６）、前列からひとつの紙巻き煙草２２を容易に取り出せるようになる。パケット１から一つ（一つ以上）の紙巻き煙草を取り出した後、ユーザーは（引き上げフラップ２１のグリップ・エンド２３を用いて引き上げられた）前列の紙巻き煙草２２を押し下げて元に戻し、パケット１をあとでさらに使用する場合は蓋８を閉じる。
【００２１】
引き上げフラップ２１は、紙巻き煙草の群４の前列全体と同じ幅であるから、引き上げフラップ２１の側方エッジは内側パッケージ３の側壁と接触するように位置し、この側壁は、引き上げフラップ２１がパケット１に対して（すなわち、外側容器２，内側パッケージ３，及び群４に対して）回転することを防ぎ、上下にスライドするときにそれが傾くこと（そして、紙巻き煙草２２を強く圧してそれを恒久的に損傷すること）を防ぐ「ガイド」として働くということに注意することが重要である。
【００２２】
ユーザーが引き上げフラップ２１のグリップ・エンド２３を引き上げて前列の紙巻き煙草２２を引き出すとき、引き上げフラップ２１のＵ字状の形が、前列の紙巻き煙草２２を持ち上げずにそれに対してスライドしてしまうことを防ぐ（すなわち、引き上げフラップ２１が、前列の紙巻き煙草２２を持ち上げることなく、群４から外れてスライドしてしまうことを防ぐ）。すなわち、ユーザーがグリップ・エンド２３を引いたとき、引き上げフラップ２１が前列の紙巻き煙草２２に対してスライドした場合（すなわち、群４から外れてスライドした場合）、引き上げフラップ２１の垂直な後壁２８は群４の下でスライドするために変形しなければならなくなる。しかし、垂直な後壁２８のサイズと剛さのため、それを変形させるには、引き上げフラップ２１を前列の紙巻き煙草２２と共に持ち上げるのに必要な力よりも大きな力が必要になる。したがって、前列の紙巻き煙草２２に対して引き上げフラップ２１を最初スライドさせても、垂直な後壁２８が群４の下をスライドするために変形しなければならない点に達すると、すぐにそのために必要なより大きな力のためにその変形に抵抗する。
【００２３】
図９に示されるように、引き上げフラップ２１は、硬い材料（普通はボール紙）で作られ、予め形成された２つの折り線３０，すなわち、前壁２５を底壁２７から分離し、底壁２７を後壁２８から分離する２つの折り線、を有するブランク２９を紙巻き煙草の群４の内側で折り曲げて形成される。
【００２４】
図１０〜１４は、硬い引き上げフラップ２１の別の実施形態を示しており、この実施形態では、後壁２８をなくし、引き上げフラップ２１が前列の紙巻き煙草２２に対してスライドすることを防ぐという（上述した）その機能は、前壁２５から突出して底壁２７の自然な延長となっている２つの安定化突起３１によって果たされる。言い換えると、安定化突起３１は前壁２５から直角方向に突出し、内側パッケージ３の前壁を、したがって外側容器２の前壁１２を、（小さな局所的変形を伴って）圧し、引き上げフラップ２１をスライドさせるのに必要な力を増大させ、引き上げフラップ２１が前列の紙巻き煙草２２に対してスライドすることを防ぐ。言い換えると、安定化突起３１は、引き上げフラップ２１を前列の紙巻き煙草２２に対してスライドさせるために必要な力を、引き上げフラップ２１を前列の紙巻き煙草２２といっしょに持ち上げるのに必要な力よりもずっと大きくするので、引き上げフラップ２１のグリップ・エンド２３を引き上げたとき引き上げフラップ２１は常に前列の紙巻き煙草２２といっしょに持ち上げられる。
【００２５】
最適な挙動を実現するために、図１０〜１４の実施形態における安定化突起３１の数、サイズ、及び形は紙巻き煙草のパケット１のデザインに応じて変えられる。
【００２６】
図１４に示されるように、安定化突起３１はブランク２９において折り線３０から発して安定化突起３１の外側エッジを画定するＵ字状の貫通カット３２によって形成され、折り線は貫通カット３２を横切って延びていない。言い換えると、各貫通カット３２の両端は折り線３０に発し、折り線は貫通カット３２によって中断される（すなわち、それを横切って延びていない）。
【００２７】
図１５〜１９は、硬い引き上げフラップ２１のさらに別の実施形態を示しており、この実施形態では、引き上げフラップ２１は内側パッケージ３における前列の紙巻き煙草の底端２４のまわりでＵ字状に折り曲げられる。図１８でもっとはっきりと見られるように、引き上げフラップ２１は前列の紙巻き煙草２２の対向する側面に位置し、各々が前列の紙巻き煙草２２のそれぞれの円柱状側壁に接触している２つの垂直な側壁３３を有する。引き上げフラップ２１の一方の側壁３３ａは紙巻き煙草の群４の上壁から突出するグリップ・エンド２３で終わっている。他方の側壁３３ｂはグリップ・エンド２３がなく、紙巻き煙草の群４と同じ高さである。引き上げフラップ２１の２つの側壁３３は水平な底壁２７によって接合し、その底壁２７は側壁３３に対して直交し。前列の紙巻き煙草２２の底壁２４と接触するように位置する。
【００２８】
実際の使用では、引き上げフラップ２１のグリップ・エンド２３が引き上げられると、グリップ・エンド２３に直接結合された側壁３３ａはそれと共に垂直に持ち上げられ、他方の側壁３３ｂは実質的に動かないままである。したがって、底壁２７は傾き、−一端は持ち上げられ他端は実質的に静止したままであるから−、前列の紙巻き煙草２２は、図１７にはっきりと示されているように、持ち上げられ方に差が出てくる（グリップ・エンド２３の方へ漸次高くなり、グリップ・エンド２３から離れるほど低くなる）。
【００２９】
図面で示すすべての実施形態で、引き上げフラップ２１の底壁２７は前列の紙巻き煙草２２の底端２４と同じサイズであり、したがってグリップ・エンド２３が引き上げられると、前列の紙巻き煙草２２の全体がそしてそれだけが持ち上げられる。図示しない別の実施形態では、引き上げフラップ２１の底壁２７は前列の紙巻き煙草２２の底端２４よりも大きく、したがって、グリップ・エンド２３が引き上げられると、前列の紙巻き煙草２２に加えて他の紙巻き煙草も持ち上げられる（例えば、前列の紙巻き煙草２２の全体と中間列の紙巻き煙草２２の全体、又は前列の紙巻き煙草２２の全体と中間列の紙巻き煙草２２の一部が持ち上げられる）。図示しない別の実施形態では、引き上げフラップ２１の底壁２７は前列の紙巻き煙草２２の底壁２４よりも小さく、したがって、グリップ・エンド２３を引き上げたとき、前列の一部だけが持ち上げられる（例えば、前列の中央の５本の紙巻き煙草２２、又は前列の中央の３本の紙巻き煙草２２と中間列の中央の３本の紙巻き煙草２２、又は前列の中央の２本の紙巻き煙草２２と中間列の中央の２本の紙巻き煙草２２と後列の中央の２本の紙巻き煙草２２）。
【００３０】
上述の紙巻き煙草のパケット１には多くの利点がある。
【００３１】
特に、それは内側パッケージ３の取り出し開口５から突出したグリップ・エンド２３を有する引き上げフラップ２１を備え、パケット１を開封したとき、ユーザーはそれを引き上げて前列の紙巻き煙草２２を速やかに容易に持ち上げられる。
【００３２】
何も糊付けされないので、引き上げフラップ２１は標準包装機で用いることができ、紙巻き煙草を汚染する恐れはない。
【００３３】
最後に、上述の紙巻き煙草のパケット１は、（このタイプのパケットのために特別に設計された）高価な専用機械でなく、（少数の小さな変更によって）標準的な包装機械で製造できる。
【国際調査報告】
2014513014.tif 000022
2014513014.tif 000023